(57)【要約】      （修正有）【課題】多接点が同時に開極し、これらを直列多点切とすることで、アーク遮断能力の向上を図った多接点継電器を提供する。【解決手段】継電器は、継電器殻体及び接点アセンブリ２を含み、そのうち、該接点アセンブリ２は、該継電器殻体内に組み込まれ、該接点アセンブリ２は、少なくとも１つの載置体と、少なくとも２つの導流部材２２と、少なくとも１つの連通部材２３と、を含み、載置体は、載置体を貫通する少なくとも２つのスロット両端の溝孔が載置体の両側に位置するように形成する。導流部材２２がスロットに組み込まれ定位され、且つ導流部材２２両端は、スロット外に露出し、導流部材２２のスロット外に露出する端部は、湾折構造であり、該少なくとも２つの導流部材２２の一端は、それぞれ第１，第２導電端子１２，１３に対応し、該少なくとも２つの導流部材２２の他端は、それぞれ連通部材２３両端に対応する。【選択図】図２
0003166989.tif 000002
【実用新案登録請求の範囲】
【請求項１】
磁性吸引アセンブリと、第１導電端子と、第２導電端子と、接点アセンブリと、を含み、そのうち、
第１導電端子及び第２導電端子は、それぞれ固定接点を設け、接点アセンブリは、少なくとも１つの載置体と、少なくとも２つの導流部材と、少なくとも１つの連通部材と、を含み、載置体は、少なくとも２つのスロットを有し、導流部材は、スロットに組み付けられ定位され、且つ動流部材両端は、スロット外に露出し、導流部材端部には、それぞれ可動接点を設け、連通部材端部には、それぞれ固定接点を設け、該少なくとも２つの導流部材の一端の可動接点は、それぞれ第１，第２導電端子の固定接点に対応し、該少なくとも２つの導流部材の他端の可動接点は、それぞれ連通部材の両端の固定接点に対応し、
継電器に電気的に導通し、磁性吸引アセンブリにより載置体を連動し、同時に流動部材の可動接点が連通部材及び第１，第２導電端子の固定接点に接触導電する多接点継電器。
【請求項２】
前記導流部材の各端に差込部を設け、且つ該差込部は、少なくとも２つの可動接点を設け、連通部材の各端は、差込部に対応し少なくとも２つの固定接点を設け、第１，第２導電端子は、差込部二対応しそれぞれ少なくとも２つの固定接点を設け、該導流部材は、差込部により該連通部材及び第１，第２導電端子を接触導電する請求項１に記載の多接点継電器。
【請求項３】
前記接点アセンブリは、更に、少なくとも２つの分流部材を含み、且つ各分流部材端部は、導流部材端部と相互に連接し、分流部材及び道隆部材が並列回路により構成する請求項１に記載の多接点継電器。
【請求項４】
前記載置体上に少なくとも２つの貫通孔を設け、且つ該貫通孔は、スロットと相通し、導流部材は、少なくとも１つの通孔を設け、該導流部材の通孔は、貫通孔と相対し、更に、少なくとも１つの熱融解柱体又は少なくとも１つのリベットにより導流部材及び載置体を固定する請求項１に記載の多接点継電器。
【請求項５】
前記導流部材のスロット外に露出する端部は、湾折構造である請求項１乃至４の何れか１項に記載の多接点継電器。
【請求項６】
更に、継電器殻体と、磁性吸引アセンブリと、第１導電端子と、第２導電端子と、継電器殻体内に組み込まれる接点アセンブリと、を含み、該磁性吸引アセンブリは、更に、少なくとも１つのコイルと、少なくとも１つの鉄心と、少なくとも１つの磁性吸引部材と、少なくとも１つのバネと、を含み、該鉄心は、コイル内に組み込まれ、該磁性吸引部材は、載置体底端に組み込まれ、バネは、コイルと磁性吸引部材との間に設置され、且つバネ両端は、それぞれコイルと磁性吸引部材に弾性的に係止され、継電器が通電し、且つコイル及び鉄心が電磁力を発生し、磁性吸引部材を吸引動作させ、磁性吸引部材によりバネを圧縮し、継電器が断電し、バネ弾性力が磁性吸引部材を押圧し復位させる請求項１に記載の多接点継電器。
【考案の詳細な説明】
【技術分野】
【０００１】
本考案は、多接点継電器に関し、現在、部材の小型化の要求に応じ、良好なアーク遮断能力を有する継電器に関する。
【背景技術】
【０００２】
継電器（Relay）は、電子制御部材であり、自動化制御電子回路中に応用され、例えば、通信交換機、工業制御、車両又はクーラー等は、何れもそれを応用し、実際に、比較的小さい電流を用い、比較的大きな電流を制御することに用いる電子式自動スイッチである。継電器は、電子回路において、自動調節、安全保護、変換回路等の役割を担う。
【０００３】
一般的に、継電器は、接点スイッチに電流が通過した状態において、接点スイッチが開閉時、一定距離の間で空気中に火花を発生し、即ち、アーク現象と呼ばれる。継電器の接点の電圧の使用電圧が上昇する時、アーク現象により継電器が受けることができるアーク遮断回数を大幅に減衰させる。上記アーク現象を防止するため、現在は、アーク保護回路を接点スイッチの両端に増設し、静電容量式保護アーク回路及び抵抗式保護アーク回路等の方式があり、又は、固定接点及び可動接点の間の距離を大きくし、関連部品の構造設計を介し、アーク遮断を達成している。
【０００４】
現在の電子部材は、小型化設計に向かっているので、相対して継電器も同様であり、特に、高電圧孔電流制御回路への応用において、有限空間内で固定接点及び可動接点の間の距離を大きくすることは、明らかに困難であり、且つ両者の間隔が大きくすれば、継電器動作工程が増加し、可動接点及び固定接点の間の接触導電、分離断電動作が確実、円滑でなくなり、更には、継電器の制御回路の精確性に影響を及ぼす。
【０００５】
これに鑑みて、本考案者は、部材の小型化に応じ、高電圧高電流制御回路に適用可能にする状況で、継電器関連構造の研究開発及び設計を行ない、ようやく「多接点継電器」を考案し、従来技術の固定接点及び可動接点の両者間の距離を増加する技術と異なり、接点を増加する構造設計により、従来技術が起こす欠陥を回避し、実用性が極めて良好な継電器となっている。
【先行技術文献】
【特許文献】
【０００６】
【特許文献１】特許公表２００３−５３０６７７号公報
【考案の概要】
【考案が解決しようとする課題】
【０００７】
本考案の目的は、良好なアーク遮断能力を有する継電器を提供し、従来の固定接点及び可動接点の両者の間隔を増加する方式と異なり、多接点が同時に接触導電及び同時に分離する構造設計を採用し、可動接点及び固定接点の総和により継電器総接点の間隔を増加し、本考案の微小空間内で良好なアーク遮断能力を有する目的を達成することである。
【課題を解決するための手段】
【０００８】
上記目的及び効果を達成するため、本考案の「多接点継電器」は、磁性吸引アセンブリと、第１導電端子と、第２導電端子と、接点アセンブリと、を含み、そのうち、
第１導電端子及び第２導電端子は、それぞれ固定接点を設ける。接点アセンブリは、少なくとも１つの載置体と、少なくとも２つの導流部材と、少なくとも１つの連通部材と、を含み、載置体は、少なくとも２つのスロットを有し、導流部材は、スロットに組み付けられ定位され、且つ動流部材両端は、スロット外に露出し、導流部材端部には、それぞれ可動接点を設け、連通部材端部には、それぞれ固定接点を設け、該少なくとも２つの導流部材の一端の可動接点は、それぞれ第１，第２導電端子の固定接点に対応し、該少なくとも２つの導流部材の他端の可動接点は、それぞれ連通部材の両端の固定接点に対応する。
【０００９】
このように、継電器に電気的に導通し、磁性吸引アセンブリにより載置体を連動し、同時に流動部材の可動接点が連通部材及び第１，第２導電端子の固定接点に接触導電する。
【００１０】
本考案の「多接点継電器」は、更に以下の技術特徴を含む：
1.該接点アセンブリは、更に、少なくとも２つの分流部材を含み、且つ各分流部材端部は、導流部材端部と相互に連接し、分流部材及び道隆部材が並列回路により構成する。
2.導流部材の各端に差込部を設け、且つ該差込部は、少なくとも２つの可動接点を設け、連通部材の各端は、差込部に対応し少なくとも２つの固定接点を設け、第１，第２導電端子は、差込部二対応しそれぞれ少なくとも２つの固定接点を設け、該導流部材は、差込部により該連通部材及び第１，第２導電端子を接触導電する。
3.載置体上に少なくとも２つの貫通孔を設け、且つ該貫通孔は、スロットと相通し、導流部材は、少なくとも１つの通孔を設け、該導流部材の通孔は、貫通孔と相対し、更に、少なくとも１つの熱融解柱体又は少なくとも１つのリベットにより導流部材及び載置体を固定する。
4.載置体の射出成形時、スロットを形成し、導流部材を覆い固定する。
5.導流部材のスロット外に露出する端部は、湾折構造である。
6.多接点継電器は、更に、継電器殻体と、磁性吸引アセンブリと、第１導電端子と、第２導電端子と、継電器殻体内に組み込まれる接点アセンブリと、を含み、該磁性吸引アセンブリは、更に、少なくとも１つのコイルと、少なくとも１つの鉄心と、少なくとも１つの磁性吸引部材と、少なくとも１つのバネと、を含み、該鉄心は、コイル内に組み込まれ、該磁性吸引部材は、載置体底端に組み込まれ、バネは、コイルと磁性吸引部材との間に設置され、且つバネ両端は、それぞれコイルと磁性吸引部材に弾性的に係止され、継電器が通電し、且つコイル及び鉄心が電磁力を発生し、磁性吸引部材を吸引動作させ、磁性吸引部材によりバネを圧縮し、継電器が断電し、バネ弾性力が磁性吸引部材を押圧し復位させる。
【００１１】
従って、本考案は、相当に実用性及び進歩性を備えた考案であると言うことができ、産業界に推進させ、社会に公表するに値するものである。
【考案の効果】
【００１２】
本考案の多接点継電器は、従来の固定接点及び可動接点の両者の間隔を増加する方式と異なり、多接点が同時に接触導電及び同時に分離する構造設計を採用し、可動接点及び固定接点の総和により継電器総接点の間隔を増加し、本考案の微小空間内で良好なアーク遮断能力を有する目的を達成する。
【図面の簡単な説明】
【００１３】
【図１】本考案の部分分解立体説明図である。
【図２】本考案の組み合わせ立体説明図である。
【図３】本考案の組み合わせ断面説明図である。
【図４】本考案の磁性吸引動作説明図である。
【図５】本考案の電子回路説明図である。
【図６】本考案の第２実施例の平面説明図である。
【図７】本考案の第２実施例の電子回路説明図である。
【図８】本考案の第３実施例の平面説明図である。
【図９】本考案の第３実施例の電子回路説明図である。
【図１０】本考案の第４実施例の部分分解立体説明図である。
【図１１】本考案の第４実施例の電子回路説明図である。
【考案を実施するための形態】
【００１４】
本考案の各部材の構造及び部材の組み合わせ関係を図面に併せて更に詳しく説明する。図１〜図５を参照し、図中に示す４つの接点の形態の継電器は、継電器殻体１及び接点アセンブリ２を含み、そのうち、
該継電器殻体１は、磁性吸引アセンブリ１１と、第１導電端子１１と、第２導電端子１３と、設ける。該磁性吸引アセンブリ１１は、少なくとも１つのコイル１１１と、少なくとも１つの鉄心１１２と、少なくとも１つの磁性吸引部材１１３と、少なくとも１つのバネ１１４を含み、該鉄心１１２は、コイル１１１内に組み込まれる。該第１導電端子１２及び第２導電端子１３は、それぞれ固定接点１２１，１３１を設け、且つ第１，第２導電端子１２，１３は、同一方向に設定される形態である。
【００１５】
該接点アセンブリ２は、該継電器殻体１内に組み込まれ、該接点アセンブリ２は、少なくとも１つの載置体２１と、少なくとも２つの導流部材２２と、少なくとも１つの連通部材２３と、を含み、載置体２１は、載置体を貫通する少なくとも２つのスロット２１１を設け、スロット２１１両端の溝孔が載置体２１両側に位置するように形成され、導流部材２２がスロット２１１に組み込まれ定位され、且つ導流部材２２両端は、スロット２１１外に露出し、導流部材２２のスロット２１１外に露出する端部は、湾折構造であり、該少なくとも２つの導流部材２２の一端は、それぞれ第１，第２導電端子１２，１３に対応し、該少なくとも２つの導流部材２２の他端は、それぞれ連通部材２３両端に対応する。
【００１６】
該連通部材２３は、継電器殻体１内に組み込まれ、連通部材２３両端部は、それぞれ、固定設定２３１を設け、導流部材２２端部は、それぞれ可動接点２２１を設ける。
【００１７】
該載置体２１上に、少なくとも２つの貫通孔２１２を設け、且つ該貫通孔２１２は、スロット２１１と相通し（ここでは、４つの貫通孔２１２を例とし、且つ２つの貫通孔２１２が１つのスロット２１１に相通するものとする）、導流部材２２は、少なくとも１つの通孔２２２を設け、該導流部材２２の通孔２２２は、貫通孔２１２と相対し、更に、少なくとも１つの熱融解柱体又は少なくとも１つのリベットで通孔２２２及び貫通孔２１２を固定結合し、導流部材２２及び載置体２１を固定する。また、該導流部材２２は、事前に金型内に埋め込むこともでき、載置体２１が金型内で射出成形され、且つスロット２１１を形成すると同時に該導流部材２２を覆うことができる。
【００１８】
上記磁性吸引部材１１３は、載置体２１底端に組み込まれ、該磁性吸引部材１１３は、片体状の上部及び柱状部を有し、該バネ１１４は、コイル及び磁性吸引部材１１３の間に組み込まれ、該ばね１４は、柱状部に被せられ、且つバネ１１４両端は、それぞれコイル１１１及び磁性吸引部材１１３上部を押圧する。
【００１９】
上記実施例の４つの接点の形態の継電器の動作方式は、通電時、コイル１１１及び鉄心１１２が電磁力を発生し、載置体２１下端の磁性吸引部材を吸引し、且つ載置体２１が磁性吸引部材１１３と同様に、コイル１１１の方向に向かって変位し、磁性吸引部材１１３は、併せてバネ１１４を圧縮し、同時に導流部材２２の可動接点２２１は、それぞれ第１，第２導電端子１２，１３及び連通部材２３の固定接点１２１，１３１，２３１と接触し、電流を通し、単一入力単一出力の制御回路となる（図５参照）。
【００２０】
コイル１１１が断電時、バネ１１４の弾性力が磁性吸引部材１１３を復位するよう押圧し、同時に導流部材２２の可動接点２２１は、固定接点２３１，１２１，１３１から離脱する。
【００２１】
このように、本考案は、導流部材２２を介し、それぞれ第１，第２導電端子１２，１３及び連通部材２３と接触導電し、この時、継電器の接点間の距離の総和が導流部材２２の両側の可動接点２２１及び固定接点２３１，１２１，１３１の間の距離の総和であり、従って、多接点の設計により継電器アーク遮断能力を増加し、本考案の目的を達成することができ、従来技術の欠陥を回避し、実用性が極めて良好な継電器となる。
【００２２】
提示すべきこととして、該接点アセンブリ２は、更に少なくとも２つの分流部材２４を含み、且つ各分流部材２４端部は、導流部材２２端部の可動接点２２１と相互に連接し、分流部材２４及び導流部材２２により並列回路を構成し、図１及び図２に示すように、分流部材２４及び導流部材２２が並列後、その抵抗値は、従来の単一導電構造よりも低く、接触抵抗を効率的に低減でき、同時にオン電圧の損耗が低く、接触導電温度が低い等の効果を得ることができる。上記の分流部材２４は、本実施例では、片体状構造を例とし、且つそれと導流部材２２が接する端部は、同様に湾折構造設計を採用する。また、分流部材２４は、導線線材を採用し、導流部材２２端部にブリッジ接続することもできる。
【００２３】
本考案は、上記4つの接点の継電器以外に、導流部材２２、連通部材２３及び載置体２１上のスロット２１１の数量を変化させ、6つ又は8つの接点の形態の継電器となることもでき、図６〜図９に示すとおりであり、そのうち、
【００２４】
６つの接点の形態の継電器は、３つの導流部材２２と、２つの連通部材２３と、３つのスロット２１１を採用し、且つ6つの接点の形態の継電器の第１，第２導電端子１２，１３は、逆向きに設定される形態であり、連通部材２３の両端は、２つの導流部材２２末端の排列形態に相対し、その導通時は、カスケード状態である。8つの接点の形態の継電器は、4つの導流部材２２と、3つの連通部材２３と、4つのスロット２１１と、を採用し、その第１，第２導電端子１２，１３が同一向きに設置される形態であり、同様に、連通部材２３両端が２つの導流部材２２末端に対応する基本排列形態である。このことからわかるように、上記数量の変化及び排列方式によって多接点の形態の継電器を完成することができる。
【００２５】
図１０、図１１に示すのは、本考案の他の実施例であり、導流部材２２の各端に差込部２２３構造を設け（該差込部２２３は、二又、三又または三又以上の構造であることができ、ここでは、二又を例とする）、且つ該差込部２２３は、少なくとも２つの可動接点２２４を設け、連通部材２３の各端は、差込部２２３に対応し、少なくとも２つの固定接点２３１を設け、第１，第２導電端子１２，１３は、差込部２２３に対応し、それぞれ、少なくとも２つの固定接点１２１，１２２，１３１，１３２を設け、該導流部材２２は、差込部２２３により該連通部材２３及び第１，第２導電端子１２ｍ１３を接触導電する。
【００２６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２７】
１  継電器殻体
１１  磁性吸引アセンブリ
１１１  コイル
１１２  鉄心
１１３  磁性吸引部材
１１４  バネ
１２  第１導電端子
１３  第２導電端子
１３１  固定接点
１３２  固定接点
２  接点アセンブリ
２１  載置体
２２  導流部材
２１１  スロット
２１２  貫通孔
２２  ガイド部材
２２１  可動接点
２２２  通孔
２２３  差込部
２２４  可動接点
２３  連通部材
２３１  固定接点
２４  分流部材
【図１】
0003166989.tif 000003
【図２】
0003166989.tif 000004
【図３】
0003166989.tif 000005
【図４】
0003166989.tif 000006
【図５】
0003166989.tif 000007
【図６】
0003166989.tif 000008
【図７】
0003166989.tif 000009
【図８】
0003166989.tif 000010
【図９】
0003166989.tif 000011
【図１０】
0003166989.tif 000012
【図１１】
0003166989.tif 000013